(57)【要約】【課題】車両用のスタータジェネレータとして用いて好適の永久磁石式発電機の制御装置に関し、電気負荷変動が発生しても発電特性が変化しないようにする。【解決手段】  永久磁石部材を備えたロータと、ロータの外周側に固定されたステータと、ステータとロータとの間に配置されてステータに対して相対移動する磁束制御籠と、磁束制御籠を移動させることにより磁束を制御するコントローラとを有し、ステータには第１の主巻線と第１の主巻線とは逆向きの弱界磁用副巻線とを設け、電気負荷の変動した際に第１の主巻線の発電特性が変動しないように電気負荷の大きさに応じて弱界磁用副巻線への通電量を補正する。【選択図】図１
2008211907.tif 000002
【特許請求の範囲】
【請求項１】
自動車に装備されたエンジンの出力軸に接続されるとともに、ハウジングに回転可能に支持された永久磁石部材を備えたロータと、
前記ロータの外周側で前記ハウジングに固定されるとともに、周方向に離隔して形成された複数の櫛部及び該櫛部間のスロット部に配設された巻線を備えたステータと、
前記ステータと前記ロータとの間に配置され前記ステータに対して相対移動して前記永久磁石部材から前記ステータの前記櫛部へ流れる磁束を制御する磁束制御籠と、
前記磁束制御籠を前記ステータに対して回転移動させるアクチュエータと、
前記アクチュエータの作動を制御して前記磁束制御籠を前記ステータに対して移動させることにより前記磁束を制御するコントローラとを有し、
前記ロータの回転変動に応じた発電電圧の変動に対して前記磁束制御籠の位置を変更することにより、所定の電圧を発生するように構成された永久磁石式発電機の制御装置であって、
前記自動車における電気負荷を検出する電気負荷検出手段を有するとともに、
前記スロット部に配設された前記巻線は、第１の巻き数だけ巻き上げられた第１の主巻線と、該第１の主巻線の界磁を弱めるように該第１の主巻線とは逆向きに巻き上げられ有効巻き数が可変の弱界磁用副巻線とを有し、
前記コントローラは、電気負荷の変動に関わらず前記第１の主巻線の発電特性が一定となるように、前記電気負荷検出手段で得られる電気負荷の大きさに応じて前記弱界磁用副巻線への通電量を補正する
ことを特徴とする、永久磁石式発電機の制御装置。
【請求項２】
前記コントローラは、前記発電負荷が最大値のとき前記通電量の補正値が０に設定される
ことを特徴とする、請求項１記載の永久磁石式発電機の制御装置。
【請求項３】
前記コントローラは、前記発電負荷の減少に伴い前記弱界磁用副巻線への通電量を増大させるように補正する
ことを特徴とする、請求項１又は２記載の永久磁石式発電機の制御装置。
【発明の詳細な説明】
【技術分野】
【０００１】
本発明は、永久磁石板式ロータ，前記ロータの外周に配置されたステータ及び前記ロータから前記ステータへの磁束密度を制御する磁束制御装置から成る磁束制御装置を有し、車両用のスタータジェネレータとして用いて好適の永久磁石式発電機の制御装置に関するものである。
【背景技術】
【０００２】
近年、自動車において、例えば、電動パワーステアリングやナビゲーションシステムやオーディオ類やＩＴ機器等の電力を使用して作動する各装置が多く搭載されるようになってきており、これらの機器類の普及に伴い自動車の電力消費も増大している。このため、従来型の自動車用発電機ではこの増大する電力消費に応じた電力を発電することは困難になってきており、より大きな発電電力を発生しうる自動車用発電機の開発が要望されている。
【０００３】
発電機としては、従来より永久磁石をロータに用いた永久磁石式発電機が広く知られている。この永久磁石式発電機はロータに永久磁石を用いるので、構造が簡単で大きな発電電力を得ることができる。このため、これを自動車用発電機に適用して発電電力の不足を解消することが考えられる。しかし、永久磁石式発電機は、その磁力が変化しないので、エンジン等の駆動源の回転が変動すると、発電機のロータの回転数が変化し、発電機の発電電圧が変化してしまうため、その発電電力をそのまま機器に用いることは不可能である。
【０００４】
自動車用発電機では、その電圧は１２Ｖ又は２４Ｖを使用しているが、自動車用エンジンでは、回転数が数百回転（ｒｐｍ）から数千回転（ｒｐｍ）まで大幅に変化するため、数百回転（ｒｐｍ）で１２Ｖにセットされた発電電圧では、数千回転（ｒｐｍ）では１２０Ｖにまで変化してしまい、１２Ｖ対応の電気機器には使用できない。
永久磁石式発電機を自動車用発電機に適用するためには、エンジン回転数が常に変動するにもかかわらず、発電電圧が略一定となるようにする必要がある。
【０００５】
そこで、特許文献１及び２には、発電効率が高く且つ小型で装置コストを抑えることができるようにした、永久磁石式発電機が提案されている。
この永久磁石式発電機は、ロータに永久磁石部材を配設し、その永久磁石のＮ極，Ｓ極をカバーするステータの櫛部にそれぞれ巻線を巻回し、Ｎ極とＳ極に対応する巻線の巻回方向を互いに逆に巻回し、ステータと回転変動するロータとの間にステータに対して回転移動する磁束制御籠を配置すると共に、ステータにＵ，Ｖ及びＷ相から成る複数のコイルを巻き上げ、これらのコイルを並列結線した２種のコイル群を常用コイルと低速コイルに構成し、常用コイルと低速コイルとをスイッチを介して直列に結線し、エンジンのアイドリング等の低速時、中速時及び高速時に応答してスイッチのＯＮ・ＯＦＦを制御して予め決められた所定の発電電圧を得るように制御し、また、磁束制御籠をステータに対して回転移動させて磁束制御籠とステータとの間の空隙量を制御し、予め決められた一定の発電電圧を得るように制御するものである。
【特許文献１】特開２００５−１８４９４８号公報
【特許文献２】特開２００３−９２９００号公報
【発明の開示】
【発明が解決しようとする課題】
【０００６】
ところで、上述したような永久磁石式発電機において、一定の発電電圧を得る手法について、図１０を用いて簡単に説明する。
永久磁石式発電機には、ステータの櫛部に巻回した巻数がＮ１のコイル（以下Ｎ１ターンという）と、ステータに対して回転移動可能でこの移動により櫛部へ流れる磁束を制御しうる磁束制御籠とが設けられている。
【０００７】
また、永久磁石式発電機では、籠位置を固定した場合にはロータ回転数に比例して発電電圧がリニアに上昇する特性を有している。したがって、発電電圧が規定電圧（１４Ｖ）に達するまでは（ロータの回転数が所定回転数ｒ１に達するまでは）、磁束制御籠を櫛部へ流れる磁束が最大となる位置にして、コイルの界磁により発電を行なう（図１０の矢印Ｆ１参照）。ここで、線ａは、磁束制御籠が磁束を遮らず、櫛部へ流れる磁束が最大となる磁束制御籠位置における発電特性である。
【０００８】
そして、発電電圧が規定電圧に達すると、このままの状態では発電量が過多となってしまうため、ロータの回転数の増加に応じて磁束制御籠を移動させながら櫛部へ流れる磁束を減少させていくことにより、ロータの回転数が変化しても発電電圧は規定電圧を保持するように制御する（図１０の矢印Ｆ２参照）。ここで、線ｂは、磁束制御籠により櫛部へ流れる磁束を最小とするような限界の磁束制御籠位置における発電特性であり、このような特性線ａ〜線ｂの間で磁束制御籠を回転させて籠位置を制御することにより、ロータ回転数ｒ１〜ｒ２の間で発電電圧を一定に保持することができる。
【０００９】
なお、回転数ｒ２以上の領域では、このＮ１ターンよりも巻数の少ないＮ２ターンのコイルに切り替えて、上述と同様の籠位置制御を行うか、或いは、Ｎ１ターンとは逆向きに巻き上げられた弱界磁用の巻線に通電し、弱界磁を作用させてＮ１ターンの界磁を弱めて、籠位置制御を行うことにより規定電圧を発生させる。
しかしながら、このような発電機を自動車に搭載した場合には、図１０の線ｂ１及び線ｂ２に示すように、車両の電気負荷の変動（例えばヘッドライトのオンオフやエアコンのオンオフ）によって発電特性が変化してしまうという課題がある。つまり、コイルの巻数及び籠位置の両方を固定した場合であっても、車両側の電気負荷の変動により発電特性の傾きは一定にならず、電気負荷の有り無しによって変化してしまうのである。具体的には、線ｂで示す発電特性が、電気負荷が増大すると線ｂ１に示すように発電特性の傾きが緩やかとなり、電気負荷が低下すると線ｂ２に示すように発電特性線の傾きが急になる。
【００１０】
このような電気負荷の変動により発電特性が頻繁に変動すると籠位置の急激な制御とターン（コイル）の切り換えが頻発し、制御性が悪化してしまうことになる。
これを図１１を用いて簡単に説明すると、図１１は所定巻数のコイルに対して籠位置を制御して規定電圧を保持する場合における電気負荷の有無による影響を説明するものである。なお、以下では説明を簡略化するためにロータ回転数を一定とする。
【００１１】
まず、運転点Ｐ１において、電気負荷有りで、且つ磁束が最大となる位置で籠を固定して規定電圧を発電しているものとする。この状態で、電気負荷が急激に無くなると、発電特性が実線ａ１から破線ａ２に変化する。したがって、ロータ回転数が一定であれば、発電電圧は上昇し、運転点はＰ２に移行する。
このため、図示しないコントローラでは、電圧フィードバック制御により籠位置を制御して、運転点を破線ｂ２上の点Ｐ３に移動する。なお、ここでは破線ｂ２は磁束を最小とする籠位置における発電特性である。また、点Ｐ３は規定電圧よりも僅かに高い値になっているが、本制御においては目標値（規定電圧）に対して所定の不感帯が設けられており、この不感帯に位置していれば規定電圧とみなしている。
【００１２】
そして、この後再び電気負荷が加わると、発電特性が破線ｂ２から実線ｂ１に変化し、発電電圧が低下して運転点はＰ４となる。このため、再び電圧フィードバック制御により規定電圧を発生するように籠位置が制御されて、運転点をＰ１に戻す。
このように、電気負荷が頻繁に変動すると、運転点が不感帯域をはずれてしまい、頻繁に籠位置の制御が必要となる。なお、上述ではロータ回転数を一定とした場合について説明したが、発電機をエンジンに搭載した場合、実際の運転ではロータ回転数は大幅に変動するため、籠位置の制御はさらに煩雑なものとなり、コイルのターン数を切り換える必要も出てくる。この結果、電気負荷変動の速さに対して電圧フィードバック制御がついていけなくなると、高電圧が生じたり、発電フェール現象が生じてしまうという課題がある。
【００１３】
本発明は、このような課題に鑑み創案されたもので、電気負荷変動が発生しても発電特性が変化しないようにした、永久磁石式発電機の制御装置を提供することを目的とする。
【課題を解決するための手段】
【００１４】
本発明の永久磁石式発電機の制御装置は、自動車に装備されたエンジンの出力軸に接続されるとともに、ハウジングに回転可能に支持された永久磁石部材を備えたロータと、前記ロータの外周側で前記ハウジングに固定されるとともに、周方向に離隔して形成された複数の櫛部及び該櫛部間のスロット部に配設された巻線を備えたステータと、前記ステータと前記ロータとの間に配置され前記ステータに対して相対移動して前記永久磁石部材から前記ステータの前記櫛部へ流れる磁束を制御する磁束制御籠と、前記磁束制御籠を前記ステータに対して回転移動させるアクチュエータと、前記アクチュエータの作動を制御して前記磁束制御籠を前記ステータに対して移動させることにより前記磁束を制御するコントローラとを有し、前記ロータの回転変動に応じた発電電圧の変動に対して前記磁束制御籠の位置を変更することにより、所定の電圧を発生するように構成された永久磁石式発電機の制御装置であって、前記自動車における電気負荷を検出する電気負荷検出手段を有するとともに、前記スロット部に配設された前記巻線は、第１の巻き数だけ巻き上げられた第１の主巻線と、該第１の主巻線の界磁を弱めるように該第１の主巻線とは逆向きに巻き上げられ有効巻き数が可変の弱界磁用副巻線とを有し、前記コントローラは、電気負荷の変動に関わらず前記第１の主巻線の発電特性が一定となるように、前記電気負荷検出手段で得られる電気負荷の大きさに応じて前記弱界磁用副巻線への通電量を補正することを特徴としている。
【００１５】
また、前記コントローラは、前記発電負荷が最大値のとき前記通電量の補正値が０に設定されるのが好ましい。
また、前記コントローラは、前記発電負荷の減少に伴い前記弱界磁用副巻線への通電量を増大させるように補正するのが好ましい。
【発明の効果】
【００１６】
本発明の永久磁石式発電機の制御装置によれば、電気負荷が変動しても発電特性を一定に保持することができ、電圧制御を安定化させることができるという利点がある。
【発明を実施するための最良の形態】
【００１７】
以下、図面により、本発明の実施の形態について説明する。
図１〜図９は本発明の一実施形態に係る永久磁石式発電機の制御装置について説明するための図であって、これらの図に基づいて説明する。
本実施形態に係る永久磁石式発電機は、図２に示すように、自動車用エンジン１に、エンジン１の始動用モータとエンジン１により駆動される発電機とに兼用されるスタータジェネレータ３として付設されたものである。この永久磁石式発電機３は、エンジン１と、このエンジン１に接続されたトランスミッション２との間に配置され、エンジン１の出力回転によって駆動される。
【００１８】
この永久磁石式発電機３は、図３（ａ），（ｂ），図４（ａ），（ｂ）に示すように、エンジン１のシリンダブロック及びトランスミッション（ここでは、自動変速機）２のケースと一体に結合されたハウジング３１と、このハウジング３１に図示しない軸受を介して回転可能に支持された回転子のロータ３３と、ロータ３３の外周側に離隔するように配置されハウジング３１に固定された回転子のステータ３５とを備え、ステータ３５とロータ３３との間には、ステータ３５に対して相対移動して永久磁石部材３２からステータ３５の櫛部３５ｂへ流れる磁束を制御する磁束制御籠３６が配設されている。
【００１９】
ロータ３３は、エンジン１の出力軸（クランクシャフト）１１に接続され出力軸１１と一体に回転するようになっており、ロータ３３の外周面には、永久磁石部材３２が周設されている。
ステータ３５は、ステータコア３５ａとこのステータコア３５ａに巻き上げられた巻線（コイル）３４とから構成されている。ステータコア３５ａは、周方向に離隔するように配置され形成された複数の櫛部３５ｂと、これらの櫛部３５ｂ間に形成されたスロット部３５ｃと、隣接する櫛部３５ｂを連結するため周方向に延びるブリッジ部３５ｄとを備え、巻線３４はスロット部３５ｂに配置されている。
【００２０】
磁束制御籠３６は、図４（ａ），（ｂ）に示すように、ステータ３５とロータ３３との間の隙間３３ａに配置され、図示しない軸受を介してハウジング３１に回転自在に支持され、ステータ３５に対して相対回転して磁束を制御する。この磁束制御籠３６は、周方向に離隔するように配置されステータ３５の櫛部３５ｂと相対するように突起した複数の歯部３６ａを備えている。
【００２１】
そして、図４（ａ）に示すように、複数の歯部３６ａが、ステータ３５の櫛部３５ｂと同位相になると、ステータ３５回りに生じる磁束を最大とし、図４（ｂ）に示すように、複数の歯部３６ａの位相が、ステータ３５の櫛部３５ｂの位相とずれると、そのズレ量に応じてステータ３５回りに生じる磁束は減少する。
この磁束制御籠３６をハウジング３１に対して回転させるために、磁束制御籠３６には、図３に示すように、アクチュエータとしてのＤＣモータ（磁束制御用ＤＣモータ）３７がウォームギア３８を介して接続され、図５に示すように、このＤＣモータ３７をコントローラ（スタータジェネレータ制御ユニット）４０により制御するようになっている。
【００２２】
また、ステータコア３５ａに巻き上げられた巻線３４は、図５，図６に示すように、第１の巻き数Ｎ１（Ｎ１は例えば２４）だけ巻き上げられた第１の主巻線（第１メインコイル、Ｎ１ターンともいう）３４ａと、この第１コイル３４ａの界磁を弱めるように第１メインコイル３４ａとは逆向きに巻き上げられ有効巻き数が可変の弱界磁用副巻線（サブコイル）３４ｂと、第１の巻き数Ｎ１よりも少ない第２の巻き数Ｎ２（Ｎ２は例えば１５）だけ第１メインコイルと同方向に巻き上げられた第２の主巻線（第２メインコイル、Ｎ２ターンともいう）３４ｃとが並列に備えられ、整流器４２を介してバッテリ４１と接続されている。また、この電気回路には、各コイルを選択して使用するためのスイッチ４３ａ〜４３ｃが設けられている。
【００２３】
さらに、第１メインコイル３４ａは、コイル３４ａ１とコイル３４ａ２とが直列に組み合わされてなり、スイッチ４３ａを閉成し、スイッチ４３ｂ，４３ｃを開成すれば、コイル３４ａ１とコイル３４ａ２とからなる第１メインコイル３４ａが通電し、巻き数Ｎ１に応じた大きな磁界が発生し、スイッチ４３ｃを閉成し、スイッチ３４ａ，４３ｂを開成すれば、第２メインコイル３４ｃが通電し、同一回転条件では巻き数Ｎ２に応じて第１メインコイル３４ａよりも弱い磁界が発生する。
【００２４】
また、第１メインコイル３４ａの一部であるコイル３４ａ２は、第２の巻き数Ｎ２よりも少ない第３の巻き数Ｎ３（Ｎ３は例えば６）だけ巻き上げられた第３の主巻線（第３メインコイル、Ｎ３ターンともいう）として機能し、スイッチ４３ｂを閉成し、スイッチ４３ａ，４３ｃを開成すれば、コイル３４ａ２のみからなる第３メインコイルが通電し、巻き数Ｎ３に応じて第２メインコイル３４ｃよりも弱い磁界が発生する。
【００２５】
また、サブコイル３４ｂは、有効巻数を可変制御可能、或いはボリューム調整可能に構成されており、ボリュームを最小にすれば、サブコイル３４ｂは実質的に非通電となる。また、サブコイル３４ｂにはボリューム調整に応じた巻き数分だけ弱界磁電流が流れ、この弱界磁電流に応じて、第１メインコイル３４ａ，第２メインコイル３４ｃ，第３メインコイル３４ａ２の界磁を弱めることができるようになっている。
【００２６】
つまり、サブコイル３４ｂは、第１メインコイル３４ａの通電時には、第１メインコイル３４ａの界磁を弱める第１の弱界磁用副巻線（第１サブコイル）として機能し、第２メインコイル３４ｃの通電時には、第２メインコイル３４ｃの界磁を弱める第２の弱界磁用副巻線（第２サブコイル）として機能し、第３メインコイル３４ａ２の通電時には、第３メインコイル３４ａ２の界磁を弱める第３の弱界磁用副巻線（第３サブコイル）として機能する。ただし、本実施形態においては、第１メインコイル３４ａの通電時には、弱界磁電流を用いないので、第１サブコイルとして機能することはない。これは、第１のメインコイル３４ａと第２のメインコイル３４ｃとの特性の設定によるもので、本実施形態では第１サブコイルとして機能しなくても規定電圧を発生することが可能となっているからである。
【００２７】
これに対して、第１及び第２のメインコイル３４ａ，３４ｃの巻数の関係により、第１のメインコイル３４ａによる発電領域と第２のメインコイル３４ｃによる発電領域との間に規定電圧を発電できない領域が存在する場合には、第１サブコイルを用いてこれら２つの発電領域の間で規定電圧を発電するようにしてもよい。
さて、スタータジェネレータ制御ユニット４０は、永久磁石式発電機による発電時には、ロータの回転速度（即ち、エンジン回転数に応じたロータ回転数）ｒと、発電電圧Ｖと
に応じて、磁束制御籠３６の回転位相の制御と共に、各スイッチ４３ａ〜４３ｃの開閉制御、及び、サブコイル３４ｂのボリューム調整を行うようになっている。
【００２８】
つまり、原則的には、磁束制御籠３６の回転位相により電圧調整を行い、籠制御で調整できる範囲を超えるとターン数を切り替えたり、サブコイル３４ｂにより弱界磁を作用させたりすることにより、電圧を一定値に制御するようになっている。
また、本実施形態では、エンジン１及び発電機３は自動車に搭載されるものであって、この自動車で使用される電気の負荷状態に応じて、上述のサブコイル３４ｂの弱界磁電流（通電量）に対して補正を加えるようになっているが、まずは、補正なしの場合（ここでは、エンジンが搭載される自動車の電気負荷を最大値に固定した場合を補正なしとする）の電圧制御について簡単に説明する。
【００２９】
スタータジェネレータ制御ユニット４０は、図１に示すように、ロータ回転数ｒ（＝エンジン回転数）が十分に低い低速領域（アイドル〜所定回転数ｒ０１）にある状況下では、磁束制御籠３６の回転位相を櫛部３５ｂへ流れる磁束が最大となる位置に保持し、スイッチ４３ａのみを閉成しスイッチ４３ｂ，４３ｃは開成して第１メインコイル３４ａを通電状態にするとともに、サブコイル３４ｂのボリュームを最小にして弱界磁を働かせない状態（有効巻き数０の状態）とする。
【００３０】
このように、図１に示すように、磁束制御籠３６を磁束最大位置に保持し、第１メインコイル３４ａ（Ｎ１ターン）を通電状態にして弱界磁を働かせない状態が発電電圧を最も高めることができるので、ロータ回転数ｒが比較的小さくても、発電電圧Ｖが規定電圧Ｖ０に達することになる。ここでは、ロータ回転数ｒがｒ０１となったところで発電電圧Ｖが規定電圧Ｖ０に達する（線Ｌ１参照）。
【００３１】
発電電圧Ｖが規定電圧Ｖ０に達したら、その後は、ロータ回転数ｒの増大に応じて発電電圧Ｖが規定電圧Ｖ０よりも高くなるので、スタータジェネレータ制御ユニット４０では、発電電圧Ｖをモニターしながら（電圧フィードバック制御）、発電電圧Ｖが規定電圧Ｖ０を保持するように磁束制御籠３６を移動させる。
このようにして、磁束制御籠３６の移動により磁束を小さくすることができるが、この磁束制御籠３６による発電電圧の抑制にも限界がある（線Ｌ２参照）。
【００３２】
そこで、磁束制御籠３６による磁束制御が限界に達したら（ここでは、ロータ回転数ｒがｒ０２となったところで磁束制御籠３６が磁束を最小にする位置にくる）、その後は、ターン数の切り替えと籠位置の戻しとを行う。具体的には、使用するメインコイルを第１メインコイル３４ａから第２メインコイル３４ｃ（Ｎ２ターン）に切り替えるとともに、籠位置を磁束最大位置近傍に戻し、規定電圧を発生させる。
【００３３】
つまり、スイッチ４３ｃのみを閉成しスイッチ４３ａ，４３ｂは開成して第２メインコイル３４ｃを通電状態にするとともに、サブコイル３４ｂのボリュームを最小にしたまま弱界磁を働かせない状態を維持する。そして、その後はスタータジェネレータ制御ユニット４０は、発電電圧Ｖをモニターしながら、発電電圧Ｖが規定電圧Ｖ０を保持するように、磁束制御籠３６を位置調整する。
【００３４】
ここで、図１に示すように、本実施形態では、第１メインコイル３４ａでの発電領域（線Ｌ１〜線Ｌ２で囲まれた領域）と、第２メインコイル３４ｃでの発電領域（線Ｌ３〜線Ｌ４で囲まれた領域）とは部分的にオーバラップしている。
このため、第１メインコイル３４ａを用いて規定電圧を発電中にロータ回転数が上昇していった場合、線Ｌ２に達してから（つまり、第１メインコイル３４ａの発電領域の限界まで達してから）、第２メインコイル３４ｃに切り替えてもよいし、その手前の線Ｌ３に達してから（つまり、第２メインコイルの発電領域に入ったら）第２メインコイル３４ｃに切り替えてもよい。
【００３５】
本実施形態では、ロータ回転数の上昇時には、第１メインコイル３４ａの発電領域の限界まで第１メインコイル３４ａを用いているので、ロータ回転数がｒ０２を超えたときに第２メインコイル３４ｃに切り替えるが、この場合には、籠位置を磁束最大位置に戻してしまうと発電電圧が規定電圧を超えてしまうので（回転数ｒ０２における線Ｌ３での発生電圧を参照）、コイル切り替え時には発電電圧が規定電圧を超えないように、磁束最大位置よりも僅かに磁束が小さくなる位置に籠位置が制御される。
【００３６】
そして、ロータ回転数ｒが増大して、第２メインコイルでの発電領域の限界（線Ｌ４参照）に達すると（ロータ回転数ｒがｒ０３に達すると）、その後は、籠位置を制御しても発電電圧Ｖが規定電圧Ｖ０を上回るようになってしまうので、サブコイル３４ｂにより弱界磁を働かせることにより、第２メインコイル３４ｃによる磁束を弱める。このとき、スタータジェネレータ制御ユニット４０は、基本的にはサブコイル３４ｂのボリュームを一定とし、籠位置を戻して発電電圧Ｖが規定電圧Ｖ０となるように制御を行う。そして、ロータ回転数の上昇にともない磁束制御籠３６の位置を磁束が小さくなる側に移動させていき、発電電圧が規定電圧となるよう籠位置の制御を行う。なお、この第２メインコイル３４ｃ＋弱界磁により発電可能な領域は線Ｌ５〜線Ｌ６で囲まれた領域となる。
【００３７】
さらに、ロータ回転数ｒがさらに増大すると（ここでは、ロータ回転数ｒがｒ０４に達すると）、第２メインコイル３４ｃを用いて弱界磁を最大まで働かせても、発電電圧Ｖが規定電圧Ｖ０を上回るようになってしまうので、使用するメインコイルを第２メインコイル３４ｃから第３メインコイル３４ａ２（Ｎ３ターン）に切り替えるとともに、サブコイル３４ｂのボリュームを最小にして弱界磁を働かせない状態（有効巻き数０の状態）とする。また、これと同時に磁束制御籠３６の位置を磁束が大きくなる側に戻し、その後は籠位置の制御により規定電圧に制御する。なお、この第３メインコイル３４ａ２により発電可能な領域は線Ｌ７〜線Ｌ８で囲まれた領域となる。
【００３８】
また、ロータ回転数がｒ０５を超えると、サブコイル３４ｂにより弱界磁を働かせることにより、第３メインコイル３４ａ２による磁束を弱める。この第３メインコイル３４ａ２＋弱界磁により発電可能な領域は線Ｌ９〜線Ｌ１０で囲まれた領域となる。
以下、ロータ回転領域毎に、ターン数の切り替えとサブコイル３４ｂの作用の状況を簡単に表すと以下のようになる。ただし、以下ではＮ１ターン，Ｎ２ターン，Ｎ３ターンは、それぞれメインコイルとして第１メインコイル３４ａ，第２メインコイル３４ｃ，第３メインコイル３４ａ２を用いていることを意味しており、弱界磁とは、サブコイル３４ｂを作用させている状態を意味し、αはサブコイル３４ｂにおける補正用の弱界磁電流を加えていることを意味している。なお、αについては後述する。
１．アイドル〜ｒ０２：Ｎ１ターン＋α
２．ｒ０２〜ｒ０３：Ｎ２ターン＋α
３．ｒ０３〜ｒ０４：Ｎ２ターン＋弱界磁＋α
４・ｒ０４〜ｒ０５：Ｎ３ターン＋α
５、ｒ０５以上：Ｎ３ターン＋弱界磁＋α、
このように、ロータ回転数に対して、コイルの切り替え（ターン数の切り替え）及び弱界磁の付加を行い、さらに籠位置を制御することにより、アイドル回転域付近を除く略全回転領域において一定の電圧（１４Ｖ）を安定して発電できるようになる。
【００３９】
次に、本発明の要部構成について説明すると、既に〔発明が解決しようとする課題〕の欄でも述べたように、このような発電機３を自動車に搭載した場合には、車両の電気負荷の変動（ヘッドライトのオンオフやエアコンのオンオフ或いはオーディオのオンオフ等）によって発電特性が変化してしまい、発電制御が不安定となるおそれがあった。具体的には図１に示す発電特性線Ｌ１〜Ｌ１０の傾きが電気負荷に応じて変化してしまい、電気負荷が増加すると発電電圧が低下し、逆に電気負荷が減少すると発電電圧が増大する。このため、電気負荷が頻繁に変動すると、電気負荷変動の速さに対して、籠位置の制御やコイルのターン数の切り換えによる電圧フィードバック制御がついていけなくなり、高電圧が生じたり、発電フェール現象が生じてしまう。
【００４０】
そこで、本装置では、電気負荷の大きさに応じてサブコイル３４ｂのボリュームを調整することにより磁束に補正を加え、これにより電気負荷変動が生じても各発電特性線Ｌ１〜Ｌ１０の傾きが一定となるように制御するようになっている。
すなわち、図５に示すように、本装置には当該車両における電気負荷を検出する電流センサ（電気負荷検出手段）５０が設けられるとともに、コントローラ４０には、上記電流センサ５０で検出された電流値に基づいて、図１に示す発電特性線Ｌ１〜Ｌ１０を補正する補正手段５４が設けられている。
【００４１】
ここで、電流センサ５０は、現在車両で使用されている電気機器に流れる合計電流値Ｉを検出するものであって、バッテリ４１から各電気機器に供給される電流値Ｉを検出してコントローラ４０に出力するようになっている。
また、補正手段５４は、図７に示すような複数の補正マップ５１〜５３から構成されている。このうち、補正マップ５１は第１メインコイル３４ａ用の補正マップであり、補正マップ５２は第２メインコイル３４ｃ用の補正マップであり、また補正マップ５３は第３メインコイル３４ａ２用の補正マップである。そして、これらの補正マップ５１〜５３により、電流値（電気負荷）をパラメータとしてサブコイル３４ｂに対する補正値としての補正用の弱界磁電流αが設定されるようになっている。
【００４２】
ここで、それぞれの補正マップは、図７に示すように電気負荷が小さいときは補正用の弱界磁電流αを大きくして弱界磁電流量を増大させるようにし、また電気負荷が大きいときは補正用の弱界磁電流αは小さくしている。
つまり、サブコイル３４ｂでは、ボリュームを調整して弱界磁電流を変化させることにより磁界の強さを変更することができるので、この特性を利用することで、発電特性線Ｌ１〜Ｌ１０の傾きを変更することができる。そこで、本装置では、車両の電気負荷による発電特性の影響分を相殺するような補正用の弱界磁電流αを予めマップ化しておき、このマップから得られる補正用の弱界磁電流αをサブコイル３４ｂに出力することで、電気負荷の変動が生じても発電特性を不動とすることができ発電制御を安定化させるようにしているのである。
【００４３】
ところで、本実施形態では、図１に示す各発電特性線Ｌ１〜Ｌ１０は、車両の電気負荷がＭａｘのときの発電特性を表している。また、各補正マップ５１〜５３で設定される補正用の弱界磁電流αは、検出される電流値（発電負荷）が大きくなるほど小さい値に設定されるような特性を有しており、当該車両で使用される電気機器の電流値が最大値（電気負荷がＭａｘ）の時に、補正用の弱界磁電流α＝０となるように設定されている。
【００４４】
つまり、図１に示す発電特性線Ｌ１〜Ｌ１０は、電気負荷Ｍａｘのときをベースとしたものであって、電気負荷が減少した分だけ線Ｌ１〜Ｌ１０の傾きが急になるのを、電気負荷に応じた補正用の弱界磁電流αを与えることにより、電気負荷の変動に関わらず発電特性を電気負荷Ｍａｘの時の特性に固定するようになっている。また、このように電気負荷Ｍａｘを基準にして、電気負荷の減少分だけを補完するように補正用の弱界磁電流αを与えることにより制御性を高めている。
【００４５】
本発明の一実施形態に係る永久磁石式発電機の制御装置は上述のように構成されているので、その作用について図９のフローチャートを用いて説明すると、まずステップＳ１において、エンジン回転数（ロータ回転数）を読み込むとともに、ステップＳ２において現在の発電電圧を読み込む。そして、ステップＳ３において、これらの情報に基づいて、規定電圧を発電するようにターン数及び籠位置を設定する。
【００４６】
次に、ステップＳ４及び／又はステップＳ５において、ステップＳ３で設定されたターン数を読み込んで、現在のターン数を認識し、ステップＳ６〜Ｓ８で現在のターン数に応じたマップを選択する。そして、ステップＳ９〜Ｓ１１で電気負荷を読み込み、ステップＳ１２〜Ｓ１４で電気負荷に応じた補正量（弱界磁電流）を設定して出力した後、リターンする。
【００４７】
これを、図８を用いて説明すると、図８は所定巻数（ここでは１５Ｔ）のコイルに対して籠位置を制御して規定電圧を保持する場合における電気負荷の有無による補正について説明するものであって、図１１に対応する図である。なお、以下では説明を簡略化するためにロータ回転数を一定とする。
まず、電気負荷が最大（Ｍａｘ）の状態で、且つ磁束が最大となる位置で籠を固定して規定電圧を発電しているものとする（点Ｐ０１）。この状態で、電気負荷が急激に低下すると、従来は、発電特性が実線ａ０１から破線ａ０３に変化してしまい、ロータ回転数が一定であれば、運転点はＰ０３に移行して発電電圧が上昇してしまう。このため、コントローラ４０では、従来では電圧フィードバック制御により籠位置の制御やターン数の切り替えを行って規定電圧を保持する必要があった。
【００４８】
これに対して、本装置では、電気負荷がＭａｘの状態から低下しても、発電特性の変化を相殺するように電気負荷低下量に見合った補正用の弱界磁電流αをサブコイル３４ｂに流すので、線ａ０２で示すように発電特性の変化を抑制することができる。このため、ロータ回転数が一定の場合には籠位置を変化させることなく運転点を点Ｐ０１と同じ位置に保持することができる（点Ｐ０２参照）。なお、図中、点Ｐ０１と点Ｐ０２との間、及び線ａ０１と線ａ０２とでは僅かに差異が生じているが、これは、本装置の作用を説明するためであって、本来は点Ｐ０１と点Ｐ０２とは一致しており、同様に線ａ０１と線ａ０２とは一致している。
【００４９】
そして、この状態から、電気負荷が増大すると、再び、発電特性の変化を相殺するように電気負荷増加量に見合った補正用の弱界磁電流αをサブコイル３４ｂに流し、発電特性の変化を抑制する。
以上のように、本装置によれば電気負荷変動が生じても常に発電特性を一定に保持することができ、発電電圧の制御を安定化させることができるという利点がある。
【００５０】
つまり、籠位置の制御についてはロータ回転数の変動にのみ対応させて変化させればよく、籠位置に対する電圧フィードバック制御が簡易なものとなり、高電圧が生じたり発電フェール現象が生じてしまうような事態を回避することができる。
以上、本発明の実施形態について説明したが、本発明は上記実施形態に限定されるものではなく、本発明の趣旨を逸脱しない範囲で、上記実施形態を適宜変更して実施しうるものであって、電気負荷が変動するような機械に適用されるのであれば、自動車用のスタータジェネレータ以外に適用してもよい。
【図面の簡単な説明】
【００５１】
【図１】本発明の一実施形態に係る永久磁石式発電機のロータ回転数に対する界磁制御を示すグラフである。
【図２】本発明の一実施形態に係る永久磁石式発電機を装備した車両用エンジンを示す側面図である。
【図３】本発明の一実施形態に係る永久磁石式発電機の構成を示す図であり、（ａ）はその横断面図（ロータ回転軸と直交する断面図）、（ｂ）はその縦断面図（ロータ回転軸に沿った断面図）である。
【図４】本発明の一実施形態に係る永久磁石式発電機の磁束制御籠の動作を示す拡大横断面図であり、（ａ）は磁束制御籠が磁束を最大とする位置にある状態を示し、（ｂ）は磁束制御籠が磁束を減少させる位置にある状態を示す。
【図５】本発明の一実施形態に係る永久磁石式発電機の制御ブロック図である。
【図６】本発明の一実施形態に係る永久磁石式発電機の制御ブロック図（図５のＡ部詳細図）である。
【図７】本発明の一実施形態に係る永久磁石式発電機の制御装置におけるマップを示す図である。
【図８】本発明の一実施形態に係る永久磁石式発電機の制御装置における作用を説明する図である。
【図９】本発明の一実施形態に係る永久磁石式発電機の制御装置における作用を説明するフローチャートである。
【図１０】従来の永久磁石式発電機の制御装置の課題について説明する図である。
【図１１】従来の永久磁石式発電機の制御装置の課題について説明する図である。
【符号の説明】
【００５２】
１  自動車用エンジン
２  トランスミッション
３  スタータジェネレータ
１１  エンジン１の出力軸（クランクシャフト）
３１  ハウジング
３２  永久磁石部材
３３  ロータ
３３ａ  隙間
３４  巻線（コイル）
３４ａ  第１の主巻線（第１メインコイル、Ｎ１ターン、２４Ｔ）
３４ａ１  第１メインコイル３４ａの一部（コイル）
３４ａ２  第１メインコイル３４ａの一部［第３の主巻線（第３メインコイル、Ｎ３ターン、６Ｔ）］
３４ｂ  弱界磁用副巻線（サブコイル）
３４ｃ  第２の主巻線（第２メインコイル、Ｎ２ターン、１５Ｔ）
３５  ステータ
３５ａ  ステータコア
３５ｂ  櫛部
３５ｃ  スロット部
３５ｄ  ブリッジ部
３６  磁束制御籠
３６ａ  歯部
３７  アクチュエータとしてのＤＣモータ（磁束制御用ＤＣモータ）
３８  ウォームギア
４０  コントローラ（スタータジェネレータ制御ユニット）
４１  バッテリ
４２  整流器
４３ａ〜４３ｃ  スイッチ
５０  電流センサ（電気負荷検出手段）
５１〜５３  補正マップ
５４  補正手段
【図１】
2008211907.tif 000003
【図２】
2008211907.tif 000004
【図３】
2008211907.tif 000005
【図４】
2008211907.tif 000006
【図５】
2008211907.tif 000007
【図６】
2008211907.tif 000008
【図７】
2008211907.tif 000009
【図８】
2008211907.tif 000010
【図９】
2008211907.tif 000011
【図１０】
2008211907.tif 000012
【図１１】
2008211907.tif 000013